(57)【要約】【課題】プリントコントローラと画像形成装置とが通信接続される画像形成システムにおいて、プリントコントローラが電源オフされた場合に、その再オン時に、重複した画像形成の実行を防ぐことである。【解決手段】画像形成装置としての複写機２において、プリントコントローラ１から複数部数を画像形成するための複数頁の画像データが通信ネットワーク３を介して受信され、その画像データの受信完了前にプリントコントローラ１の電源のオフが検出された場合に、正常に受信された画像データの最終頁までが複数部数画像形成される。【選択図】      図１
2005001180.tif 000002
【特許請求の範囲】
【請求項１】
記録媒体に画像形成する画像形成装置と、前記画像形成装置に通信接続されて前記画像形成装置の画像形成を制御するプリントコントローラとを備える画像形成システムにおいて、
前記プリントコントローラは、
前記画像形成装置と通信する第１の通信部と、
前記第１の通信部を介して画像形成対象の画像データを前記画像形成装置に送信する第１の制御部とを備え、
前記画像形成装置は、
前記プリントコントローラと通信する第２の通信部と、
画像データを記録媒体に画像形成するプリント部と、
前記第２の通信部を介して前記プリントコントローラから複数部数を画像形成するための複数頁の画像データを受信するとともに、前記プリントコントローラの電源のオン／オフを検出し、前記画像データの受信完了前に前記プリントコントローラの電源のオフが検出された場合に、正常に受信された画像データの最終頁までを前記プリント部に前記複数部数画像形成させる第２の制御部とを備えることを特徴とする画像形成システム。
【請求項２】
記録媒体に画像形成する画像形成装置と、前記画像形成装置に通信接続されて前記画像形成装置の画像形成を制御するプリントコントローラとを備える画像形成システムにおいて、
前記プリントコントローラは、
前記画像形成装置と通信する第１の通信部と、
前記第１の通信部を介して画像形成対象の画像データを前記画像形成装置に送信する第１の制御部とを備え、
前記画像形成装置は、
前記プリントコントローラと通信する第２の通信部と、
画像データを記録媒体に画像形成するプリント部と、
操作者の操作入力を受付ける操作部と、
前記第２の通信部を介して前記プリントコントローラから複数頁の画像データを受信するとともに、前記プリントコントローラの電源のオン／オフを検出し、前記画像データの受信完了前に前記プリントコントローラの電源のオフが検出された場合に、前記受信された画像データの画像形成を継続するか否かの操作入力を前記操作部から受付け、前記画像データの画像形成の継続が入力された場合に、正常に受信された頁までの画像データの最終頁までを前記プリント部に画像形成させ、前記画像データの画像形成の継続中止が入力された場合に、前記受信された画像データの画像形成を前記プリント部に中止させる第２の制御部とを備えることを特徴とする画像形成システム。
【請求項３】
前記画像形成装置は、画面表示を行う表示部を備え、
前記第２の制御部は、前記画像データの受信完了前に前記プリントコントローラの電源のオフが検出された場合に、前記プリントコントローラの電源のオフの旨を前記表示部に表示させることを特徴とする請求項２に記載の画像形成システム。
【請求項４】
記録媒体に画像形成する画像形成装置と、前記画像形成装置に通信接続されて前記画像形成装置の画像形成を制御するプリントコントローラとを備える画像形成システムにおいて、
前記プリントコントローラは、
前記画像形成装置と通信する第１の通信部と、
前記第１の通信部を介して画像形成対象の画像データを前記画像形成装置に送信する第１の制御部とを備え、
前記画像形成装置は、
前記プリントコントローラと通信する第２の通信部と、
画像データを記録媒体に画像形成するプリント部と、
前記第２の通信部を介して前記プリントコントローラから複数の画像データを受信していくとともに、前記プリントコントローラの電源のオン／オフを検出し、前記複数の画像データの受信完了前に前記プリントコントローラの電源のオフが検出された場合に、正常に受信された画像データまでを前記プリント部に画像形成させ、受信途中の画像データの画像形成を前記プリント部に中止させる第２の制御部とを備えることを特徴とする画像形成システム。
【請求項５】
記録媒体に画像形成する画像形成装置と、前記画像形成装置に通信接続されて前記画像形成装置の画像形成を制御するプリントコントローラとを備える画像形成システムにおいて、
前記プリントコントローラは、
前記画像形成装置と通信する第１の通信部と、
前記第１の通信部を介して画像形成対象の画像データを前記画像形成装置に送信する第１の制御部とを備え、
前記画像形成装置は、
前記プリントコントローラと通信する第２の通信部と、
画像データを記録媒体に画像形成するプリント部と、
操作者の操作入力を受付ける操作部と、
前記第２の通信部を介して前記プリントコントローラから複数の画像データを受信していくとともに、前記プリントコントローラの電源のオン／オフを検出し、前記複数の画像データの受信完了前に前記プリントコントローラの電源のオフが検出された場合に、前記受信された画像データの画像形成を継続するか否かの操作入力を前記操作部から受付け、前記受信された画像データの画像形成の継続が入力された場合に、受信途中の頁までの正常に受信された画像データを前記プリント部に画像形成させ、前記受信された画像データの画像形成の継続中止が入力された場合に、正常に受信された画像データを前記プリント部に画像形成させ、受信途中の画像データの画像形成を前記プリント部に中止させる第２の制御部とを備えることを特徴とする画像形成システム。
【請求項６】
前記画像形成装置は、画面表示を行う表示部を備え、
前記第２の制御部は、前記複数の画像データの受信完了前に前記プリントコントローラの電源のオフが検出された場合に、前記プリントコントローラの電源のオフの旨を前記表示部に表示させることを特徴とする請求項５に記載の画像形成システム。
【発明の詳細な説明】
【０００１】
【発明の属する技術分野】
本発明は、画像形成装置と、当該画像形成装置の画像形成を制御するプリントコントローラとを備える画像形成システムに関する。
【０００２】
【従来の技術】
従来、画像データを記録紙などの記録媒体に記録して出力する画像形成装置があった。画像形成装置は、画像形成を制御するプリントコントローラと、画像形成を行うプリントエンジンとから構成される。この画像形成装置に内蔵されたプリントコントローラとプリントエンジンとは、同一電源から電力供給される。
【０００３】
また、プリントコントローラが画像形成装置とは別に通信ネットワークに接続して設けられ、その通信ネットワークに接続されたプリンタエンジンを有する画像形成装置を、前記プリントコントローラがリモート制御する画像形成システムも存在する。この場合、プリントコントローラとプリントエンジンとは、異なる電源から電力供給される。
【０００４】
前記画像形成システムにおいて、プリントコントローラが通信ネットワークを介して複数頁の画像データをプリントエンジンに送信し、プリントエンジンは、その画像データの各頁を順次受信して、順次記録媒体に画像形成していた。このように、プリントコントローラとプリントエンジンとが別体の場合、プリントエンジンが稼動中に、プリントコントローラの電源がオフされてしまう可能性がある。プリントエンジンが前記複数頁の画像データを受信中に、プリントコントローラの電源がオフされた場合、例えば、プリントコントローラとプリントエンジンとの間の通信が不可能となり、プリントエンジンが受信中の画像データの受信継続が不可能となる。
【０００５】
この場合、従来において、プリントエンジンは、画像データの画像形成を中断し、プリントコントローラの電源が再度オンされた場合、プリントエンジンは画像データの最初の頁から改めて画像形成動作していた。
【０００６】
また、画像形成システムにおけるプリントエンジン（プリンタ）が、画像形成のジョブのデータ（画像データなど）を受信中に、プリントコントローラ（サーバ）の電源がオフされた場合に、プリントエンジンからプリントコントローラへの問合せ信号の送信を中断する構成が考えられている（例えば、特許文献１参照）。この構成によれば、通信ネットワーク上に無駄なパケット信号を送信することなく、通信ネットワークにかけられる負荷が低減される。
【０００７】
また、プリントエンジンに所定の画像形成のジョブ（被割り込みジョブ）を実行させ、その実行中に割り込みの画像形成のジョブ（割り込みジョブ）を実行させる場合に、プリントエンジンの電源がオフされて機能停止されたとする。プリンタエンジンの電源の再オン時に、機能停止前に既に割り込みジョブの実行が開始されていた場合には、その割り込みジョブが実行されて、次に被割り込みジョブの実行が開始される構成が考えられている（例えば、特許文献２参照）。割り込みジョブの実行開始前に機能停止していた場合には、被割り込みジョブの実行が再開される。この構成によれば、機能停止直前に残存したジョブが放置されること無く実行される。
【０００８】
【特許文献１】
特開平１１−１６７４７４号公報
【特許文献２】
特開２００２−９１２４７号公報
【０００９】
【発明が解決しようとする課題】
しかし、従来の構成では、画像データをプリントエンジンに送信して画像形成可能な従来の画像形成システムにおいて、プリントコントローラの電源のオフ後、その再オン時に、画像データが最初の頁から改めて画像形成されるので、プリントコントローラの電源のオフ前とオフ後とに重複して画像形成される無駄な頁が発生するおそれがあった。
【００１０】
そして、通信ネットワークの負荷を軽減するための特許文献１に記載の構成によっても、目的の異なる上記の不具合は解消されない。また、特許文献２は、プリントコントローラ及びプリントエンジンとが一体の画像形成装置に設けられる構成が想定されており、プリントコントローラが電源オフされている間、プリントエンジンも同時に電源オフされてしまい、プリントコントローラのみが電源オフされる場合の上記の不具合は解消されない。
【００１１】
また、複数の画像データをプリントエンジンに送信して画像形成可能な従来の画像形成システムにおいて、プリントエンジンが前記複数の画像データを受信中に、プリントコントローラの電源がオフされた場合、最初の画像データから改めて画像形成されるので、プリントコントローラの電源のオフ前とオフ後とに重複して画像形成される無駄な画像データが発生するおそれがあった。
【００１２】
本発明の課題は、プリントコントローラとプリントエンジン（画像形成装置）とが通信接続される画像形成システムにおいて、プリントコントローラが電源オフされた場合に、その再オン時に、重複した画像形成の実行を防ぐことである。
【００１３】
【課題を解決するための手段】
上記課題を解決するために、請求項１に記載の発明は、記録媒体に画像形成する画像形成装置と、前記画像形成装置に通信接続されて前記画像形成装置の画像形成を制御するプリントコントローラとを備える画像形成システムにおいて、
前記プリントコントローラは、
前記画像形成装置と通信する第１の通信部と、
前記第１の通信部を介して画像形成対象の画像データを前記画像形成装置に送信する第１の制御部とを備え、
前記画像形成装置は、
前記プリントコントローラと通信する第２の通信部と、
画像データを記録媒体に画像形成するプリント部と、
前記第２の通信部を介して前記プリントコントローラから複数部数を画像形成するための複数頁の画像データを受信するとともに、前記プリントコントローラの電源のオン／オフを検出し、前記画像データの受信完了前に前記プリントコントローラの電源のオフが検出された場合に、正常に受信された画像データの最終頁までを前記プリント部に前記複数部数画像形成させる第２の制御部とを備えることを特徴とする。
【００１４】
請求項１に記載の発明によれば、画像形成装置において、プリントコントローラから複数部数を画像形成するための複数頁の画像データが受信され、その画像データの受信完了前に前記プリントコントローラの電源のオフが検出された場合に、正常に受信された画像データの最終頁までが複数部数画像形成される。このため、プリントコントローラの電源の再オン時に、正常に受信されなかった頁の画像データを複数部数の画像形成指示して画像形成装置に画像形成させることで、当初画像形成対象の画像データを無駄なく複数部数画像形成することができ、重複した画像形成の実行を防ぐことができる。また、プリントコントローラに電源の再オン時のリカバリ処理をさせなくてもよいので、プリントコントローラの装置構成を簡単にすることができる。
【００１５】
請求項２に記載の発明は、記録媒体に画像形成する画像形成装置と、前記画像形成装置に通信接続されて前記画像形成装置の画像形成を制御するプリントコントローラとを備える画像形成システムにおいて、
前記プリントコントローラは、
前記画像形成装置と通信する第１の通信部と、
前記第１の通信部を介して画像形成対象の画像データを前記画像形成装置に送信する第１の制御部とを備え、
前記画像形成装置は、
前記プリントコントローラと通信する第２の通信部と、
画像データを記録媒体に画像形成するプリント部と、
操作者の操作入力を受付ける操作部と、
前記第２の通信部を介して前記プリントコントローラから複数頁の画像データを受信するとともに、前記プリントコントローラの電源のオン／オフを検出し、前記画像データの受信完了前に前記プリントコントローラの電源のオフが検出された場合に、前記受信された画像データの画像形成を継続するか否かの操作入力を前記操作部から受付け、前記画像データの画像形成の継続が入力された場合に、正常に受信された頁までの画像データの最終頁までを前記プリント部に画像形成させ、前記画像データの画像形成の継続中止が入力された場合に、前記受信された画像データの画像形成を前記プリント部に中止させる第２の制御部とを備えることを特徴とする。
【００１６】
請求項２に記載の発明によれば、画像形成装置において、プリントコントローラから複数部数を画像形成するための複数頁の画像データが受信され、その画像データの受信完了前に前記プリントコントローラの電源のオフが検出され、前記受信された画像データの画像形成の継続が入力された場合に、正常に受信された画像データの最終頁までが画像形成される。このため、受信した画像データの画像形成を継続するか否かを選択することができるとともに、画像形成の継続の選択及び実行後、プリントコントローラの電源の再オン時に、正常に受信されなかった頁の画像データを複数部数の画像形成指示して画像形成装置に画像形成させることで、当初画像形成対象の画像データを無駄なく複数部数画像形成することができ、重複した画像形成の実行を防ぐことができる。また、プリントコントローラに電源の再オン時のリカバリ処理をさせなくてもよいので、プリントコントローラの装置構成を簡単にすることができる。
【００１７】
請求項３に記載の発明は、請求項２に記載の画像形成システムにおいて、
前記画像形成装置は、画面表示を行う表示部を備え、
前記第２の制御部は、前記画像データの受信完了前に前記プリントコントローラの電源のオフが検出された場合に、前記プリントコントローラの電源のオフの旨を前記表示部に表示させることを特徴とする。
【００１８】
請求項３に記載の発明によれば、画像データの受信完了前にプリントコントローラの電源のオフが検出された場合に、そのプリントコントローラの電源のオフの旨が表示されるので、操作者はプリントコントローラの電源のオフの旨を目視により確認することができる。
【００１９】
請求項４に記載の発明は、記録媒体に画像形成する画像形成装置と、前記画像形成装置に通信接続されて前記画像形成装置の画像形成を制御するプリントコントローラとを備える画像形成システムにおいて、
前記プリントコントローラは、
前記画像形成装置と通信する第１の通信部と、
前記第１の通信部を介して画像形成対象の画像データを前記画像形成装置に送信する第１の制御部とを備え、
前記画像形成装置は、
前記プリントコントローラと通信する第２の通信部と、
画像データを記録媒体に画像形成するプリント部と、
前記第２の通信部を介して前記プリントコントローラから複数の画像データを受信していくとともに、前記プリントコントローラの電源のオン／オフを検出し、前記複数の画像データの受信完了前に前記プリントコントローラの電源のオフが検出された場合に、正常に受信された画像データまでを前記プリント部に画像形成させ、受信途中の画像データの画像形成を前記プリント部に中止させる第２の制御部とを備えることを特徴とする。
【００２０】
請求項４に記載の発明によれば、プリントコントローラから複数の画像データを受信していき、複数の画像データの受信完了前にプリントコントローラの電源のオフが検出された場合に、正常に受信された画像データまでがに画像形成され、受信途中の画像データの画像形成が中止される。このため、プリントコントローラの電源の再オン時に、正常に受信されなかった画像データを画像形成指示して画像形成装置に画像形成させることで、当初画像形成対象の複数の画像データを無駄なく画像形成することができ、重複した画像形成の実行を防ぐことができる。また、プリントコントローラに電源の再オン時のリカバリ処理をさせなくてもよいので、プリントコントローラの装置構成を簡単にすることができる。
【００２１】
請求項５に記載の発明は、記録媒体に画像形成する画像形成装置と、前記画像形成装置に通信接続されて前記画像形成装置の画像形成を制御するプリントコントローラとを備える画像形成システムにおいて、
前記プリントコントローラは、
前記画像形成装置と通信する第１の通信部と、
前記第１の通信部を介して画像形成対象の画像データを前記画像形成装置に送信する第１の制御部とを備え、
前記画像形成装置は、
前記プリントコントローラと通信する第２の通信部と、
画像データを記録媒体に画像形成するプリント部と、
操作者の操作入力を受付ける操作部と、
前記第２の通信部を介して前記プリントコントローラから複数の画像データを受信していくとともに、前記プリントコントローラの電源のオン／オフを検出し、前記複数の画像データの受信完了前に前記プリントコントローラの電源のオフが検出された場合に、前記受信された画像データの画像形成を継続するか否かの操作入力を前記操作部から受付け、前記受信された画像データの画像形成の継続が入力された場合に、受信途中の頁までの正常に受信された画像データを前記プリント部に画像形成させ、前記受信された画像データの画像形成の継続中止が入力された場合に、正常に受信された画像データを前記プリント部に画像形成させ、受信途中の画像データの画像形成を前記プリント部に中止させる第２の制御部とを備えることを特徴とする。
【００２２】
請求項５に記載の発明によれば、プリントコントローラから複数の画像データを受信していき、複数の画像データの受信完了前にプリントコントローラの電源のオフが検出され、画像データの画像形成の継続が入力された場合に、受信途中の頁までの正常に受信された画像データが画像形成され、前記受信された画像データの画像形成の継続中止が入力された場合に、正常に受信された画像データが画像形成され、受信途中の画像データの画像形成が中止される。このため、受信した画像データの画像形成を継続するか否かを選択することができるとともに、画像形成の継続の選択及び実行後、プリントコントローラの電源の再オン時に、正常に受信されなかった画像データを画像形成指示して画像形成装置に画像形成させることで、当初画像形成対象の複数の画像データを無駄なく画像形成することができ、重複した画像形成の実行を防ぐことができる。また、受信された画像データの画像形成の継続中止の選択及び実行が入力された場合にも、正常に受信された画像データのみが正常に画像形成され、プリントコントローラの電源の再オン時に、正常に受信されなかった画像データを画像形成指示して画像形成装置に画像形成させることで、当初画像形成対象の複数の画像データを無駄なく画像形成することができ、重複した画像形成の実行を防ぐことができる。また、プリントコントローラに電源の再オン時のリカバリ処理をさせなくてもよいので、プリントコントローラの装置構成を簡単にすることができる。
【００２３】
請求項６に記載の発明は、請求項５に記載の画像形成システムにおいて、
前記画像形成装置は、画面表示を行う表示部を備え、
前記第２の制御部は、前記複数の画像データの受信完了前に前記プリントコントローラの電源のオフが検出された場合に、前記プリントコントローラの電源のオフの旨を前記表示部に表示させることを特徴とする。
【００２４】
請求項６に記載の発明によれば、全ての画像データの受信完了前にプリントコントローラの電源のオフが検出された場合に、そのプリントコントローラの電源のオフの旨が表示されるので、操作者はプリントコントローラの電源のオフの旨を目視により確認することができる。
【００２５】
【発明の実施の形態】
以下、添付図を参照して本発明に係る第１〜第４の実施の形態及び変形例を順に詳細に説明する。ただし、発明の範囲は、図示例に限定されない。
【００２６】
（第１の実施の形態）
図１〜図７を参照して、本発明に係る第１の実施の形態を説明する。先ず、図１〜図３を参照して本実施の形態の装置の特徴を説明する。図１に、本実施の形態の画像形成システム１００の構成を示す。図２に、プリントコントローラ１の内部構成を示す。図３に、複写機２の内部構成を示す。
【００２７】
図１に示すように、画像形成システム１００は、複写機をリモート操作するプリントコントローラ１と、画像形成装置としての複写機２と、外部機器としてのクライアントＰＣ４とを備えて構成され、各機器は通信ネットワーク３により通信接続されている。本実施の形態において、複写機２は、プリントコントローラ１に対するプリントエンジンとして使用される場合を説明する。本実施の形態では、プリントエンジンが複写機であるものとして説明するが、少なくともプリント機能を有する画像形成装置としてもよい。
【００２８】
通信ネットワーク３は、例えば、有線又は無線ＬＡＮ（Ｌｏｃａｌ  Ａｒｅａ  Ｎｅｔｗｏｒｋ）とするが、これに限るものではなく、ＷＡＮ（Ｗｉｄｅ  Ａｒｅａ  Ｎｅｔｗｏｒｋ）などを含めてもよく、電話回線網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線網、専用線、通信衛星回線や、それらと接続するインターネットサービスプロバイダなどを含む構成でもよい。
【００２９】
図２に示すように、プリントコントローラ１は、各部を中央制御するＣＰＵ１１と、操作者の入力を受付ける操作部１２と、データを一時的に格納するＲＡＭ１３と、表示データを表示する表示部１４と、データを記憶する記憶部１５と、通信ネットワーク３に接続されて通信ネットワーク３上の機器と通信する第１の通信部としての通信部１６とを備えて構成され、各部はバス１７により接続される。
【００３０】
ＣＰＵ１１は、記憶部１５に記憶されている各種プログラムの中から指定されたプログラムをＲＡＭ１３のワークエリアに展開し、ＲＡＭ１３上のプログラムとの協働により各種制御を実行する。この構成における各種制御の主体を第１の制御部としての制御部１１１とする。ここでは、制御部１１１はソフトウェア的に設けられるものとして説明したが、ハードウェア的に設けられる構成でもよい。
【００３１】
操作部１２は、カーソルキー、数字入力キー及び各種機能キーなどを備えたキーボードを含み、マウスなどのポインティングデバイスを含む構成とする。操作部１２は、操作者によりキーボードで押下された押下信号やポインティングデバイスの位置信号をＣＰＵ１１に出力する。表示部１４は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）などで構成され、ＣＰＵ１１からの表示信号に従って、画面表示を行う。
【００３２】
記憶部１５は、各種プログラム、各種データなどが予め記憶されまたは書込み可能な記録媒体（図示せず）を有し、当該記録媒体は、磁気的、光学的記録媒体若しくは半導体などの不揮発性メモリなどのＣＰＵ１１読取り可能な記録媒体で構成されている。当該記録媒体としては、固定ハードディスク、フラッシュＲＯＭなどの固定的に設けたものや、ＣＤ＋ＲＷ、ＤＶＤ−ＲＡＭ、メモリカード、携帯ハードディスク、青色レーザを用いる大容量情報記録媒体などの着脱自在に装着する可搬型のものが用いられる。また、記憶部１５は、プログラムなどを読み出し可能に記憶するＲＯＭなどを含む構成でもよい。
特に、記憶部１５には、画像データのプリントのジョブデータを複写機２に送信するジョブデータ送信プログラムが予め記憶されている。
【００３３】
通信部１６は、通信ネットワーク３を介して、外部機器（例えば、複写機２、クライアントＰＣ４）との通信を行うためのネットワークカード、モデム、ＴＡ（Ｔｅｒｍｉｎａｌ  Ａｄａｐｔｅｒ）、ルータなどによって構成される。
【００３４】
図３に示すように、複写機２は、各部を中央制御するＣＰＵ２１と、操作者の入力を受付ける操作部２２と、データを一時的に格納するＲＡＭ２３と、表示データを表示する表示部２４と、データを記憶する記憶部２５と、通信ネットワーク３に接続されて通信ネットワーク３上の機器と通信する第２の通信部としての通信部２６と、原稿上の画像をスキャンするスキャナ部２７と、記録媒体に画像を記録するプリント部２８とを備えて構成され、各部はバス２９により接続される。
【００３５】
複写機２の各部のうちプリントコントローラ１の各部と同名称の各部は、概してプリントコントローラ１の各部と同様の構成を有する。このため、プリントコントローラ１の各部と異なる部分を主として説明する。
【００３６】
ＣＰＵ２１は、記憶部２５に記憶されている各種プログラムの中から指定されたプログラムをＲＡＭ２３のワークエリアに展開し、ＲＡＭ２３上のプログラムとの協働により各種制御を実行する。この構成における各種制御の主体を第２の制御部としての制御部２１１とする。
【００３７】
記憶部２５は、通信部２６から受信された画像データやスキャナ部２７によりスキャンされた画像データなどを読み書き可能に記憶する。また、記憶部２５には、ジョブデータを受信するジョブデータ受信プログラムと、プリントコントローラ１の電源オフ時のプリントを管理する第１のプリント管理プログラムとが予め記憶されている。
【００３８】
操作部２２は、数字入力キー及び各種機能キーなどを備えたキーパッドを含み、操作部２２は、操作者によりキーパッドで押下された押下信号をＣＰＵ２１に出力する。表示部２４は、ＬＣＤなどで構成され、ＣＰＵ２１からの表示信号に従って画面表示を行う。また、操作部２２は、表示部２４と一体的にタッチパネルとして構成されてもよい。
【００３９】
スキャナ部２７は、光源とＣＣＤなどの撮像素子と走査機構とを備え、原稿に光源からの光を反射させ、原稿を走査機構により走査してその反射光を撮像素子がスキャンし、そのスキャンされた電気信号をデジタル化して画像データに変換して出力する。また、スキャナ部２７は、このような反射型のスキャナに限るものでなく、透過型のスキャナでもよい。
【００４０】
プリント部２８は、レーザ式、インクジェット式、ドットインパクト式、熱転写式などにより、記録紙、ＯＨＰシートなどの記録媒体上に画像データの画像を形成して出力する。
【００４１】
クライアントＰＣ４は、操作者の操作により、複写機２に画像形成させるための画像データを含むジョブデータを通信ネットワーク３を介してプリントコントローラ１に送信する。プリントコントローラ１は、通信部１６を介してそのジョブデータを受信した場合に、そのジョブデータを複写機２に送信して画像形成させる。画像データをプリントコントローラ１に送信させる機器は、クライアントＰＣ４に限るものではなく、スキャナなどの他の機器でもよい。また、クライアントＰＣ４は、図１に１台として示したが、この台数に限るものではない。
【００４２】
次に、図４〜図６を参照して、画像形成システム１００の動作を説明する。図４に、プリントコントローラ１において実行されるジョブデータ送信処理を示す。図５に、複写機２において実行されるジョブデータ受信処理を示す。図６に、複写機２において実行される第１のプリント管理処理を示す。
【００４３】
先ず、図４を参照して、プリントコントローラ１で実行されるジョブデータ送信処理を説明する。プリントコントローラ１において、ＣＰＵ１１により、記憶部１５に記憶されたジョブデータ送信プログラムが読み出されてＲＡＭ１３に展開される。クライアントＰＣ４からジョブデータを受信したこと、又は操作者により操作部１２からジョブ実行開始指示が入力されたことをトリガとして、ＲＡＭ１３内のジョブデータ送信プログラムとＣＰＵ１１との協働により、ジョブデータ送信処理が実行される。また、特に言及しない場合には、ステップの処理実行の主体は制御部１１１であるものとする。
【００４４】
以下、ジョブとは、画像データを複写機２にプリントアウト（画像形成）させるジョブをいうものとする。また、本実施の形態においては、複数の頁からなる画像データを複数部数（部数＝Ｎ（Ｎ：２以上の整数））プリントするジョブを考える。また、画像データは白黒若しくはカラー又はこの組み合わせのデータである。
【００４５】
先ず、通信ネットワーク３及び通信部１６を介して画像データを含むジョブデータがクライアントＰＣ４から受信完了され、又は記憶部１５に記憶された画像データが読み出され、前記ジョブデータから、あるいは前記記憶された画像データと操作部１２から入力されたジョブ実行開始指示とから複写機２用のジョブデータが作成される（ステップＳ１２）。
【００４６】
そして、ステップＳ１１において作成されたジョブデータが、通信部１６及び通信ネットワーク３を介して複写機２に送信され（ステップＳ１２）、ジョブデータ送信処理が終了される。
【００４７】
次に、複写機２側の処理を説明する。先ず、図５を参照して複写機２で実行されるジョブデータ受信処理を説明する。複写機２において、ＣＰＵ２１により、記憶部２５に記憶されたジョブデータ受信プログラムが読み出されてＲＡＭ２３に展開される。通信ネットワーク３及び通信部２６を介してジョブデータがプリントコントローラ１から受信開始されたことをトリガとして、ＲＡＭ２３内のジョブデータ受信プログラムとＣＰＵ２１との協働により、ジョブデータ受信処理が実行される。また、特に言及しない場合には、各ステップの処理実行の主体は制御部２１１であるものとし、後述するプリント管理処理の説明においても同様である。
【００４８】
先ず、受信開始されたジョブデータが、受信続行可能であるか否かが判別される（ステップＳ２１）。ここでは、画像データのプリントの進行状態、プリントスピード、ＲＡＭ２３の空き状態などにより判別される。ジョブデータが受信続行可能でない場合（ステップＳ２１；ＮＯ）、ステップＳ２１に移行される。
【００４９】
ジョブデータが受信続行可能である場合（ステップＳ２１；ＹＥＳ）、通信ネットワーク３及び通信部２６を介してジョブデータの未受信部分がプリントコントローラ１から受信続行され、受信されたジョブデータはＲＡＭ２３に記憶される（ステップＳ２２）。ステップＳ２２においてＲＡＭ２３に記憶されたジョブデータは、例えば、単数のジョブデータが全て受信されたことをトリガとして、ＲＡＭ２３から読み出されてプリント部２８により画像データの頁順にプリントアウトされていく。
【００５０】
そして、ステップＳ２２においてジョブデータが受信終了されたか否かが判別される（ステップＳ２３）。ジョブデータが受信終了されていない場合（ステップＳ２３；ＮＯ）、ステップＳ２１に移行される。ジョブデータが受信終了された場合（ステップＳ２３；ＹＥＳ）、ジョブデータ受信処理が終了される。
【００５１】
次に、図６を参照して、複写機２で実行される第１のプリント管理処理を説明する。第１のプリント管理処理は、所定間隔で周期的に実行される。複写機２において、ＣＰＵ２１により、記憶部２５に記憶された第１のプリント管理プログラムが読み出されてＲＡＭ２３に展開される。ジョブデータ受信処理が実行開始されたこと、又は前回の第１のプリント管理処理の実行後から所定間隔が経過したことをトリガとして、ＲＡＭ２３内の第１のプリント管理プログラムとＣＰＵ２１との協働により、第１のプリント管理処理が実行される。
【００５２】
先ず、プリントコントローラ１の電源がオフされたか否かが判別される（ステップＳ３１）。例えば、通信ネットワーク３及び通信部２６を介して、プリントコントローラ１に対する応答が所定時間ない場合などに、プリントコントローラ１の電源がオフされたと判別される。電源オフされていない場合（ステップＳ３１；ＮＯ）、第１のプリント管理処理が終了される。
【００５３】
電源オフされた場合（ステップＳ３１；ＹＥＳ）、ジョブデータ受信処理が実行中で、ジョブデータの受信中であるか否かが判別される（ステップＳ３２）。ジョブデータの受信中でない場合（ステップＳ３２；ＮＯ）、第１のプリント管理処理が終了される。ジョブデータが受信完了後に電源がオフされたと判別されるからである。受信完了されたジョブデータは、プリントコントローラ１の電源のオン／オフに関わらず、プリント部２８において、そのジョブデータ全ての画像データのプリントが完了される。
【００５４】
ジョブデータの受信中である場合（ステップＳ３２；ＹＥＳ）、ジョブデータの画像データ中で正常に受信された頁があるか否かが判別される（ステップＳ３３；ＹＥＳ）。正常に受信済みの頁がない場合（ステップＳ３３；ＮＯ）、ＲＡＭ２３に記憶されたジョブデータが削除され（ステップＳ３４）、第１のプリント管理処理が終了される。ＲＡＭ２３に記憶されたジョブデータは、少なくとも１頁分のデータがないからである。
【００５５】
正常に受信済みの頁がある場合（ステップＳ３３；ＹＥＳ）、ＲＡＭ２３に記憶されているジョブデータの画像データが、プリント部２８により１部プリントされる（ステップＳ３５）。つまり、正常に受信された画像データの最終頁が、プリント対象の最終頁と設定され、最初の頁からその最終頁まで１部プリントされる。
【００５６】
そして、ステップＳ３５においてプリントされたＲＡＭ２３に記憶されているジョブデータの画像データが、プリント部２８により全体としてＮ部数となるように残り部数プリントされ（ステップＳ３６）、第１のプリント管理処理が終了される。ステップＳ３５，Ｓ３６により、正常に受信されたジョブデータの頁がＮ部数プリントされる。
【００５７】
ここで、図７及び図８を参照して、本実施の形態の具体的なプリント例を説明する。図７に、正常時のプリント例を示し、（ａ）に１部までのプリント例を示し、（ｂ）に複数部数のプリント例を示す。図８に、異常時のプリント例を示し、（ａ）に１部までのプリント例を示し、（ｂ）に複数部数のプリント例を示す。
【００５８】
先ず、図７を参照して、ジョブデータの送信中にプリントコントローラ１の電源がオフされずに正常に動作する場合を説明する。ここでは、プリントコントローラ１から全５頁の画像データを有するジョブデータが複写機２に送信され、同じ画像データを３部数プリントするものとする。図７（ａ）に示すように、図４及び図５に示すジョブデータ送信処理及びジョブデータ受信処理の実行により、プリントコントローラ１から５頁の画像データが複写機２に送信されていき、複写機２において受信された画像データはＲＡＭ２３に順次記憶される。また、ＲＡＭ２３に記憶された画像データはプリント部２８により各頁が順次プリントされる。
【００５９】
図７（ｂ）に示すように、プリントコントローラ１から５頁の画像データが複写機２に送信完了されてＲＡＭ２３に記憶された場合、その画像データの複数部数のプリントが可能となり、ＲＡＭ２３に記憶された画像データはプリント部２８により各部数の各頁が順次プリントされる。
【００６０】
次に、図８を参照して、図７のプリント条件で、ジョブデータの送信中にプリントコントローラ１の電源がオフされる場合を説明する。図４及び図５に示すジョブデータ送信処理及びジョブデータ受信処理と、図６に示す第１のプリント管理処理との実行時に、プリントコントローラ１の電源がオフされる。図８（ａ）に示すように、複写機２において、ジョブデータの画像データの第４頁目の受信中に電源がオフされた場合、ＲＡＭ２３には画像データの第１〜３頁が受信完了され記憶されている。画像データがカラーである場合、第１のプリント管理処理のステップＳ３６に対応して、ＲＡＭ２３に記憶された画像データの第１〜３頁はプリント部２８により順次プリントされる。
【００６１】
図８（ｂ）に示すように、電源オフにより、ＲＡＭ２３内の第３頁が最終頁とされ、第１のプリント管理処理のステップＳ３７に対応して、ＲＡＭ２３に記憶された画像データの第１〜３頁はプリント部２８によりさらに２部が順次プリントされる。
【００６２】
図８に示すプリント後、プリントコントローラ１の電源が再びオフされた場合には、プリントコントローラ１から画像データの第４及び第５頁のみを複写機２にプリントさせるように操作入力すればよい。
【００６３】
以上、本実施の形態によれば、複写機２において、プリントコントローラ１から複数部数を画像形成するための複数頁の画像データを含むジョブデータが受信され、そのジョブデータの受信完了前にプリントコントローラ１の電源のオフが検出された場合に、正常に受信された画像データの最終頁までが複数部数プリントされる。
【００６４】
このため、プリントコントローラ１の電源の再オン時に、正常に受信されなかった頁の画像データを複数部数のプリント指示して複写機２にプリントさせることで、当初プリント対象の画像データを無駄なく複数部数プリントすることができ、重複したプリントの実行を防ぐことができる。また、プリントコントローラ１に電源の再オン時のリカバリ処理をさせなくてもよいので、プリントコントローラ１の装置構成を簡単にすることができる。
【００６５】
また、画像データがカラーの場合、画像データの容量が大きくなり、また白黒よりもプリントにかかる時間が長くかつプリントコストが高いので、従来の画像形成が重複されるという不具合の度合いは白黒に比べ大きい。また、白黒の場合、重複にプリントされても、プリントにかかるコスト及び時間への影響は少ない。よって、図９の第１のプリント管理処理において、ステップＳ３３でＹＥＳの場合に、画像データがカラーであるか否かが検出され、画像データがカラーの場合にステップＳ３５に移行され、画像データがカラーでない場合にステップＳ３４に移行される構成としてもよい。この場合、プリントの時間が長くコストが高いカラーデータの場合に、当初プリント予定された画像データを無駄なく複数部数プリントすることができ、重複したプリントの実行をより効果的に防ぐことができる。
【００６６】
（第２の実施の形態）
図９を参照して、本発明に係る第２の実施の形態を説明する。図９に、複写機２で実行される第２のプリント管理処理を示す。本第２の実施の形態は、第１の実施の形態において第１のプリント管理処理に代えて第２のプリント管理処理を実行するものである。よって、第１の実施の形態と異なる部分を主として説明する。
【００６７】
本実施の形態は、図１に示す画像形成システム１００を用いる。複写機２の記憶部２５には、第１のプリント管理プログラムに代えて第２のプリント管理プログラムが記憶されている。
【００６８】
次に、図９を参照して、複写機２で実行される第２のプリント管理処理を説明する。第２のプリント管理処理は、所定間隔で周期的に実行される。ジョブデータ受信処理が実行開始されたこと、又は前回の第２のプリント管理処理の実行後から所定間隔が経過したことをトリガとして、ＲＡＭ２３内の第２のプリント管理プログラムとＣＰＵ２１との協働により、第２のプリント管理処理が実行される。
【００６９】
図９に示すステップＳ４１〜Ｓ４３は、図６に示すステップＳ３１〜Ｓ３３と同様である。正常に受信済みの頁がある場合（ステップＳ４３；ＹＥＳ）、プリントコントローラ１の電源がオフされた旨を含む、プリントを継続するか否かを選択するための入力画面が表示部２４に表示される（ステップＳ４５）。そして、表示部２４に表示された入力画面に基づいて、操作者により操作部２２を介して入力されたプリントを継続するか否かの操作入力情報が受付けられる（ステップＳ４６）。
【００７０】
そして、ステップＳ４７において入力された操作入力情報が、プリントを継続するか否かのいずれを示すかが判別される（ステップＳ４７）。プリントを継続しない場合（ステップＳ４７；ＮＯ）、ステップＳ４４に移行される。プリントを継続する場合（ステップＳ４７；ＹＥＳ）、ステップＳ４８に移行される。図９に示すステップＳ４８，Ｓ４９は、図６に示すステップＳ３５，Ｓ３６と同様である。
【００７１】
以上、本実施の形態によれば、複写機２において、プリントコントローラ１から複数部数をプリントするための複数頁の画像データを含むジョブデータが受信され、そのジョブデータの受信完了前にプリントコントローラ１の電源のオフが検出され、前記受信された画像データのプリントの継続が入力された場合に、正常に受信された画像データの最終頁までがプリントされる。このため、受信した画像データの画像形成を継続するか否かを選択することができるとともに、画像形成の継続の選択及び実行後、プリントコントローラ１の電源の再オン時に、正常に受信されなかった頁の画像データを複数部数のプリント指示して複写機２にプリントさせることで、当初プリント対象の画像データを無駄なく複数部数プリントすることができ、重複したプリントの実行を防ぐことができる。
【００７２】
また、ジョブデータの受信完了前にプリントコントローラ１の電源のオフが検出された場合に、そのプリントコントローラ１の電源のオフの旨が表示部２４に表示されるので、操作者はプリントコントローラ１の電源のオフの旨を目視により確認することができる。
【００７３】
（第３の実施の形態）
図１０を参照して、本発明に係る第３の実施の形態を説明する。図１０に、複写機２で実行される第３のプリント管理処理を示す。本第３の実施の形態は、第１の実施の形態において第１のプリント管理処理に代えて第３のプリント管理処理を実行するものである。よって、第１の実施の形態と異なる部分を主として説明する。
【００７４】
本実施の形態は、図１に示す画像形成システム１００を用いる。複写機２の記憶部２５には、第１のプリント管理プログラムに代えて第３のプリント管理プログラムが記憶されている。また、複写機２は、複数のジョブデータを受信してＲＡＭ２３に記憶し、プリント部２８により、ＲＡＭ２３に記憶された各ジョブデータの画像データが順次プリント可能な構成であるものとする。
【００７５】
ジョブコントローラ１において実行されるジョブデータ送信処理では、ジョブコントローラ１から複数のジョブデータが複写機２に送信される。複写機２において実行されるジョブデータ受信処理では、ジョブコントローラ１から送信された複数のジョブデータが受信され、ＲＡＭ２３に記憶される。このとき、ＲＡＭ２３に記憶された複数のジョブデータは、プリント部２８により順次プリントされる。
【００７６】
次に、図１０を参照して、複写機２で実行される第３のプリント管理処理を説明する。第３のプリント管理処理は、所定間隔で周期的に実行される。ジョブデータ受信処理が実行開始されたこと、又は前回の第３のプリント管理処理の実行後から所定間隔が経過したことをトリガとして、ＲＡＭ２３内の第２のプリント管理プログラムとＣＰＵ２１との協働により、第３のプリント管理処理が実行される。
【００７７】
図１０に示すステップＳ６１，Ｓ６２は、図６に示すステップＳ３１，Ｓ３２と同様である。ジョブデータの受信中である場合（ステップＳ６２；ＹＥＳ）、ＲＡＭ２３内に、受信済みでかつ未プリントのジョブデータがあるか否かが判別される（ステップＳ６３）。つまり、現在受信中のジョブデータの１つ前のジョブデータまでに、未プリントのものがあるか否かが判別される。
【００７８】
受信済みでかつ未プリントのジョブデータがある場合（ステップＳ６３；ＹＥＳ）、ＲＡＭ２３内の受信済みでかつ未プリントのジョブデータが、プリント部２８によりプリントされる（ステップＳ６４）。そして、受信途中でＲＡＭ２３に記憶されたジョブデータが削除され（ステップＳ６５）、第３のプリント管理処理が終了される。受信済みでかつ未プリントのジョブデータがない場合（ステップＳ６３；ＮＯ）、ステップＳ６５に移行される。
【００７９】
ここで、図１１を参照して、本実施の形態の具体的なプリント例を説明する。図１１に、第３のプリント管理処理実行時のプリント例を示す。ここでは、プリントコントローラ１から全５頁（１，２，３，４，５）の画像データを有するジョブデータと、全３頁（Ａ，Ｂ，Ｃ）の画像データを有するジョブデータとが複写機２に順に送信され、１部ずつプリントするものとする。図１１に示すように、図４及び図５に示すジョブデータ送信処理及びジョブデータ受信処理の実行により、プリントコントローラ１から５頁の画像データと３頁の画像データとが複写機２に順に送信されていき、複写機２において受信完了された５頁の画像データはＲＡＭ２３に順次記憶される。また、ＲＡＭ２３に記憶された画像データはプリント部２８により各頁が順次プリントされる。
【００８０】
そして、３頁の画像データ中の第１頁が複写機２に送信されたところで、プリントコントローラ１の電源がオフされたとする。図１０に示す第３のプリント管理処理の実行により、複写機２において、第３のプリント管理処理のステップＳ６４に対応して、ＲＡＭ２３内の５頁の画像データがプリント部２８によりプリントされる。そして、複写機２において、第３のプリント管理処理のステップＳ６５に対応して、受信途中のジョブデータの受信済みの第１頁（Ａ）は、ＲＡＭ２３から削除される。
【００８１】
以上、本実施の形態によれば、プリントコントローラ１から複数頁の画像データを含むジョブデータを複数受信してくとともに、プリントコントローラ１の電源のオン／オフを検出し、全てのジョブデータの受信完了前にプリントコントローラ１の電源のオフが検出された場合に、正常に受信された画像データまでをプリントさせ、受信途中の画像データの画像形成を中止させる。このため、プリントコントローラ１の電源の再オン時に、正常に受信されなかったジョブデータをプリント指示して複写機２に画像形成させることで、当初プリント対象の複数のジョブデータを無駄なくプリントすることができ、重複したプリントの実行を防ぐことができる。また、プリントコントローラ１に電源の再オン時のリカバリ処理をさせなくてもよいので、プリントコントローラ１の装置構成を簡単にすることができる。
【００８２】
（第４の実施の形態）
図１２及び図１３を参照して、本発明に係る第４の実施の形態を説明する。図１２に、複写機２で実行される第４のプリント管理処理を示す。図１３に、表示部２４で表示される入力画面４１を示す。本第４の実施の形態は、第３の実施の形態において第３のプリント管理処理に代えて第４のプリント管理処理を実行するものである。よって、第３の実施の形態と異なる部分を主として説明する。
【００８３】
本実施の形態は、図１に示す画像形成システム１００を用いる。複写機２の記憶部２５には、第３のプリント管理プログラムに代えて第４のプリント管理プログラムが記憶されている。
【００８４】
次に、図１２を参照して、複写機２で実行される第４のプリント管理処理を説明する。第４のプリント管理処理は、所定間隔で周期的に実行される。ジョブデータ受信処理が実行開始されたこと、又は前回の第４のプリント管理処理の実行後から所定間隔が経過したことをトリガとして、ＲＡＭ２３内の第４のプリント管理プログラムとＣＰＵ２１との協働により、第４のプリント管理処理が実行される。
【００８５】
図１２に示すステップＳ７１〜Ｓ７４は、図６に示すステップＳ６１〜Ｓ６４と同様である。受信済みでかつ未プリントのジョブデータがある場合（ステップＳ７３；ＹＥＳ）、又はステップＳ７４の実行後、プリントコントローラ１の電源がオフされた旨を含む、受信中のジョブデータのプリントを継続するか否かを選択するための入力画面が表示部２４に表示される（ステップＳ７５）。入力画面は、例えば、図１３に示す入力画面４１である。入力画面４１は、受信中のジョブデータのプリントを継続するか否かを選択入力するための選択ダイアログ４１１を有する。
【００８６】
そして、表示部２４に表示された入力画面に基づいて、操作者により操作部２２を介して入力された、受信中のジョブデータのプリントを継続するか否かの操作入力情報が受付けられる（ステップＳ７６）。例えば、図１３の入力画面４１の選択ダイアログ４１１において、操作部２２のカーソルキーによる選択及び決定、又はタッチパネルのタッチ操作により、プリントを継続する場合に「ＹＥＳ」ボタンが決定入力され、プリントを継続しない場合に「ＮＯ」ボタンが決定入力される。
【００８７】
そして、ステップＳ７６において入力された操作入力情報が、受信中のジョブデータのプリントを継続するか否かのいずれを示すかが判別される（ステップＳ７７）。受信中のジョブデータのプリントを継続しない場合（ステップＳ７７；ＮＯ）、受信途中でＲＡＭ２３に記憶されたジョブデータが削除され（ステップＳ７８）、第４のプリント管理処理が終了される。
【００８８】
受信中のジョブデータのプリントを継続する場合（ステップＳ７７；ＹＥＳ）、受信途中でＲＡＭ２３に記憶されたジョブデータの画像データが、プリント部２８によりプリントされ（ステップＳ７９）、第４のプリント管理処理が終了される。
【００８９】
以上、本実施の形態によれば、プリントコントローラ１から複数頁の画像データを含むジョブデータを複数受信していくとともに、プリントコントローラ１の電源のオン／オフを検出し、全てのジョブデータの受信完了前にプリントコントローラ１の電源のオフが検出され、ジョブデータのプリントの継続が入力された場合に、受信途中の頁までの正常に受信されたジョブデータがプリントされ、受信されたジョブデータのプリントの継続中止が入力された場合に、正常に受信されたジョブデータがプリントされ、受信途中のジョブデータのプリントが中止される。
【００９０】
このため、受信したジョブデータの画像形成を継続するか否かを選択することができるとともに、プリントの継続の選択及び実行後、プリントコントローラ１の電源の再オン時に、正常に受信されなかったジョブデータをプリント指示して複写機２に画像形成させることで、当初プリント対象の複数の画像データを無駄なくプリントすることができ、重複したプリントの実行を防ぐことができる。また、受信された画像データの画像形成の継続中止の選択及び実行が入力された場合にも、正常に受信されたジョブデータのみが正常にプリントされ、プリントコントローラの電源の再オン時に、正常に受信されなかったジョブデータをプリント指示して複写機２にプリントさせることで、当初プリント対象の複数のジョブデータを無駄なくプリントすることができ、重複したプリントの実行を防ぐことができる。
【００９１】
また、全てのジョブデータの受信完了前にプリントコントローラ１の電源のオフが検出された場合に、そのプリントコントローラ１の電源のオフの旨が表示部２４に表示されるので、操作者はプリントコントローラ１の電源のオフの旨を目視により確認することができる。
【００９２】
（変形例）
次に、図１４を参照して、本発明に係る第１〜第４の実施の形態の変形例を説明する。図１４に、本変形例の画像形成システム２００の構成を示す。本変形例は、第１〜第４の実施の形態と通信構成を異にするものであり、その異なる部分を主として説明する。
【００９３】
本変形例の画像形成システム２００は、プリントコントローラ１と、複写機２と、外部機器としてのクライアントＰＣ４とを備えて構成される。プリントコントローラ１とクライアントＰＣ４とは、通信ネットワーク３に接続される。プリントコントローラ１と複写機２とは、専用ケーブル５を介して通信接続される。
【００９４】
プリントコントローラ１の通信部１６は、通信ネットワーク３を介してクライアントＰＣ４と通信するだけでなく、専用ケーブル５を介して複写機２と通信する。複写機２の通信部２６は、専用ケーブル５を介してプリントコントローラ１と通信する。プリントコントローラ１と複写機２との間の通信形式は、特定の通信方式に限定されない。また、クライアントＰＣ４は、図１４に１台として示したが、この台数に限るものではない。
【００９５】
画像形成システム２００の動作は、第１〜第４の実施の形態における画像形成システム１００の動作と同様である。但し、プリントコントローラ１と複写機２との間の通信を通信ネットワーク３でなく専用ケーブル５を介して行う。
【００９６】
なお、上述した各実施の形態における記述は、本発明に係る好適な画像形成システム１００，２００の一例であり、これに限定されるものではない。
【００９７】
【発明の効果】
請求項１に記載の発明によれば、画像形成装置において、プリントコントローラから複数部数を画像形成するための複数頁の画像データが受信され、その画像データの受信完了前に前記プリントコントローラの電源のオフが検出された場合に、正常に受信された画像データの最終頁までが複数部数画像形成される。このため、プリントコントローラの電源の再オン時に、正常に受信されなかった頁の画像データを複数部数の画像形成指示して画像形成装置に画像形成させることで、当初画像形成対象の画像データを無駄なく複数部数画像形成することができ、重複した画像形成の実行を防ぐことができる。また、プリントコントローラに電源の再オン時のリカバリ処理をさせなくてもよいので、プリントコントローラの装置構成を簡単にすることができる。
【００９８】
請求項２に記載の発明によれば、画像形成装置において、プリントコントローラから複数部数を画像形成するための複数頁の画像データが受信され、その画像データの受信完了前に前記プリントコントローラの電源のオフが検出され、前記受信された画像データの画像形成の継続が入力された場合に、正常に受信された画像データの最終頁までが画像形成される。このため、受信した画像データの画像形成を継続するか否かを選択することができるとともに、画像形成の継続の選択及び実行後、プリントコントローラの電源の再オン時に、正常に受信されなかった頁の画像データを複数部数の画像形成指示して画像形成装置に画像形成させることで、当初画像形成対象の画像データを無駄なく複数部数画像形成することができ、重複した画像形成の実行を防ぐことができる。また、プリントコントローラに電源の再オン時のリカバリ処理をさせなくてもよいので、プリントコントローラの装置構成を簡単にすることができる。
【００９９】
請求項３に記載の発明によれば、画像データの受信完了前にプリントコントローラの電源のオフが検出された場合に、そのプリントコントローラの電源のオフの旨が表示されるので、操作者はプリントコントローラの電源のオフの旨を目視により確認することができる。
【０１００】
請求項４に記載の発明によれば、プリントコントローラから複数の画像データを受信していき、複数の画像データの受信完了前にプリントコントローラの電源のオフが検出された場合に、正常に受信された画像データまでが画像形成され、受信途中の画像データの画像形成が中止される。このため、プリントコントローラの電源の再オン時に、正常に受信されなかった画像データを画像形成指示して画像形成装置に画像形成させることで、当初画像形成対象の複数の画像データを無駄なく画像形成することができ、重複した画像形成の実行を防ぐことができる。また、プリントコントローラに電源の再オン時のリカバリ処理をさせなくてもよいので、プリントコントローラの装置構成を簡単にすることができる。
【０１０１】
請求項５に記載の発明によれば、プリントコントローラから複数の画像データを受信していき、複数の画像データの受信完了前にプリントコントローラの電源のオフが検出され、画像データの画像形成の継続が入力された場合に、受信途中の頁までの正常に受信された画像データが画像形成され、受信された画像データの画像形成の継続中止が入力された場合に、正常に受信された画像データが画像形成され、受信途中の画像データの画像形成が中止される。このため、受信した画像データの画像形成を継続するか否かを選択することができるとともに、画像形成の継続の選択及び実行後、プリントコントローラの電源の再オン時に、正常に受信されなかった画像データを画像形成指示して画像形成装置に画像形成させることで、当初画像形成対象の複数の画像データを無駄なく画像形成することができ、重複した画像形成の実行を防ぐことができる。また、受信された画像データの画像形成の継続中止の選択及び実行が入力された場合にも、正常に受信された画像データのみが正常に画像形成され、プリントコントローラの電源の再オン時に、正常に受信されなかった画像データを画像形成指示して画像形成装置に画像形成させることで、当初画像形成対象の複数の画像データを無駄なく画像形成することができ、重複した画像形成の実行を防ぐことができる。また、プリントコントローラに電源の再オン時のリカバリ処理をさせなくてもよいので、プリントコントローラの装置構成を簡単にすることができる。
【０１０２】
請求項６に記載の発明によれば、全ての画像データの受信完了前にプリントコントローラの電源のオフが検出された場合に、そのプリントコントローラの電源のオフの旨が表示されるので、操作者はプリントコントローラの電源のオフの旨を目視により確認することができる。
【図面の簡単な説明】
【図１】本発明に係る実施の形態の画像形成システム１００の構成を示す図である。
【図２】プリントコントローラ１の内部構成を示すブロック図である。
【図３】複写機２の内部構成を示すブロック図である。
【図４】プリントコントローラ１において実行されるジョブデータ送信処理を示すフローチャートである。
【図５】複写機２において実行されるジョブデータ受信処理を示すフローチャートである。
【図６】複写機２において実行される第１のプリント管理処理を示すフローチャートである。
【図７】正常時のプリント例を示す図であり、（ａ）は１部までのプリント例を示す図であり、（ｂ）は複数部数のプリント例を示す図である。
【図８】異常時のプリント例を示す図であり、（ａ）は１部までのプリント例を示す図であり、（ｂ）は複数部数のプリント例を示す図である。
【図９】複写機２で実行される第２のプリント管理処理を示すフローチャートである。
【図１０】複写機２で実行される第３のプリント管理処理を示すフローチャートである。
【図１１】第３のプリント管理処理実行時のプリント例を示す図である。
【図１２】複写機２で実行される第４のプリント管理処理を示すフローチャートである。
【図１３】表示部２４で表示される入力画面４１を示す。
【図１４】本発明に係る変形例の画像形成システム２００の構成を示す図である。
【符号の説明】
１００，２００…画像形成システム
１…プリントコントローラ
２…複写機
１１，２１…ＣＰＵ
１１１，２１１…制御部
１２，２２…ＲＡＭ
１３，２３…操作部
１４，２４…表示部
１５，２５…記憶部
１６，２６…通信部
１７，２９…バス
２７…スキャナ部
２８…プリント部
３…通信ネットワーク
４…クライアントＰＣ
５…専用ケーブル
【図１】
2005001180.tif 000003
【図２】
2005001180.tif 000004
【図３】
2005001180.tif 000005
【図４】
2005001180.tif 000006
【図５】
2005001180.tif 000007
【図６】
2005001180.tif 000008
【図７】
2005001180.tif 000009
【図８】
2005001180.tif 000010
【図９】
2005001180.tif 000011
【図１０】
2005001180.tif 000012
【図１１】
2005001180.tif 000013
【図１２】
2005001180.tif 000014
【図１３】
2005001180.tif 000015
【図１４】
2005001180.tif 000016